(57)【要約】【課題】簡単な構成で自動塵落とし機能を付加する。【解決手段】吸込口１０と吸気ユニット４との間にメインフィルタ１２及びプレフィルタ１３を介在させた集塵機１において、本体３に、モータの運転時に共振し、モータの共振回転数で振幅が最大となる共振板１８を設けて、運転スイッチ７ＯＦＦ後の遅延機能の実行中にモータを共振回転数で運転させることで、モータの運転時の振動を増幅してメインフィルタ１２及びプレフィルタ１３に伝達可能とした。【選択図】図２
2012120582.tif 000002
【特許請求の範囲】
【請求項１】
吸込口を有するタンクの上方に、モータ及び吸込ファンを備えた吸気ユニットを有する本体を載置して、前記タンク内で前記吸込口と吸気ユニットとの間にフィルタを介在させた集塵機であって、
前記本体又はタンクに、前記モータの運転時に共振し、前記モータの所定の回転数で振幅が最大となる共振部材を設けて、前記モータを前記所定の回転数で運転させることで、前記モータの運転時の振動を増幅して前記フィルタに伝達可能としたことを特徴とする集塵機。
【請求項２】
前記モータの運転スイッチをＯＦＦした後に所定時間前記モータの運転を継続させる遅延機能を備え、前記遅延機能の実行時の前記モータの回転数を前記所定の回転数としたことを特徴とする請求項１に記載の集塵機。
【発明の詳細な説明】
【技術分野】
【０００１】
本発明は、吸込口を有するタンクの上方に、モータ及び吸込ファンを備えた吸気ユニットを有する本体を載置して、タンク内で吸込口と本体との間にフィルタを介在させた集塵機に関する。
【背景技術】
【０００２】
集塵機は、吸込口を有するタンクの上方に、モータ及び吸込ファンを備えた吸気ユニットを有する本体を載置して、タンク内で吸込口と本体との間にフィルタを介在させたものが知られている。すなわち、モータの駆動で吸込ファンが回転すると、吸込口に接続したホースを介して外気がタンク内に吸い込まれ、吸気ユニットを通って外部へ排出されることで、外気と共にタンク内に吸い込まれた塵埃をフィルタで捕捉してタンク内に集塵するようにしたものである。
このような集塵機においては、フィルタに付着した粉塵等によってフィルタが目詰まりすると吸引力が低下することから、運転終了時等にフィルタに付着した粉塵を自動的に払い落とす自動塵落とし機構を付加したものも知られている。この自動塵落とし機構として、特許文献１，２には、フィルタに沿って回転可能なブラシ等の除塵子とその除塵子を回転させるモータとを備え、運転終了時にフィルタ下流側に生じる負圧によって塵落とし回路に設けたスイッチを動作させ、一定時間モータを動作させて除塵子による自動塵落としを図る発明が開示されている。
【先行技術文献】
【特許文献】
【０００３】
【特許文献１】実公昭５２−５５８８１号公報
【特許文献２】実公昭４７−２５１７９号公報
【発明の概要】
【発明が解決しようとする課題】
【０００４】
しかし、上記集塵機においては、集塵用のモータ及びファンに加えて、自動塵落とし機構を構成するための除塵子やモータ等の動力源を新たに用いることから、コストアップや大型化に繋がってしまう。
【０００５】
そこで、本発明は、簡単な構成で自動塵落とし機能を付加することができ、コストアップや大型化を抑制可能な集塵機を提供することを目的としたものである。
【課題を解決するための手段】
【０００６】
上記目的を達成するために、請求項１に記載の発明は、本体又はタンクに、モータの運転時に共振し、モータの所定の回転数で振幅が最大となる共振部材を設けて、モータを所定の回転数で運転させることで、モータの運転時の振動を増幅してフィルタに伝達可能としたことを特徴とするものである。
請求項２に記載の発明は、請求項１の構成において、モータの運転スイッチをＯＦＦした後に所定時間モータの運転を継続させる遅延機能を備え、遅延機能の実行時のモータの回転数を所定の回転数としたことを特徴とするものである。
【発明の効果】
【０００７】
請求項１に記載の発明によれば、共振部材を設けて集塵用のモータを所定の回転数で運転する簡単な構成で自動塵落とし性能を付加することができる。よって、自動塵落としのためのモータ等の動力源が不要となり、コストアップや集塵機自体の大型化が抑えられる。
請求項２に記載の発明によれば、請求項１の効果に加えて、遅延機能を利用した適切なタイミングで自動塵落としが可能となる。
【図面の簡単な説明】
【０００８】
【図１】集塵機の斜視図である。
【図２】集塵機の分解斜視図である。
【図３】モータの回転数と共振板の加速度との関係を示すグラフである。
【発明を実施するための形態】
【０００９】
以下、本発明の実施の形態を図面に基づいて説明する。
図１は、集塵機の一例を示す斜視図、図２はその分解斜視図で、この集塵機１は、上面を開口したタンク２の上方に、吸気ユニット４を内蔵した本体３を設けてなる。吸気ユニット４は、タンク２の開口を閉塞して本体３を支持するタンクカバー５によってタンク２の中央上方から吊り下げ支持されており、内部に、図示しないモータとそのモータ駆動で回転する吸込ファンとを内蔵して、下面中央に吸気口６を開口させている。本体３の上部側面には、運転スイッチ７と吸引力の切替スイッチ８とが設けられ、本体３の上部中央にはハンドル９が設けられている。また、タンク２の側面には、ホースやノズル等を接続する吸込口１０が設けられると共に、タンクカバー５の外縁に係止して開口を閉塞させるフック１１，１１が設けられている。
【００１０】
図２に示すように、タンク２と本体３との間には、フィルタとして、吸気口６の周囲及び下方を覆うメインフィルタ１２と、そのメインフィルタ１２を下方から覆うプレフィルタ１３とが設けられている。まずメインフィルタ１２は、タンク２の開口に係止されるリング状の上係止部１４と、その上係止部１４から下方へ連設され、下方へ行くに従って小径となるテーパ状のフィルタ部１５とからなる。フィルタ部１５は、底面を除く側面全周がフィルタとなっている。
【００１１】
次に、プレフィルタ１３は、メインフィルタ１２の上係止部１４の下側でタンク２の開口に係止されるリング状の下係止部１６と、その下係止部１６から下方へ連設され、下方へ行くに従って小径となるテーパ状のフィルタ部１７とからなる。このフィルタ部１７は、可撓性を有する布製又は紙製の有底筒で、メインフィルタ１２と共にタンク２の開口へ係止させた状態では、メインフィルタ１２の全体を下側から覆ってタンク２内に膨出するようになっている。
【００１２】
そして、タンクカバー５の下面には、共振部材としての共振板１８が設けられている。この共振板１８は、吸気ユニット４の近傍でタンクカバー５の下面に固定される水平板部１９と、その水平板部１９の端部からメインフィルタ１２内へ下向きに突出する垂直板部２０とからなるＬ字状の板体となっている。
この共振板１８においては、モータの運転時に発生する振動が伝わることで、下向き自由端となる垂直板部２０が共振することになるが、この共振による加速度（振幅）が、両フィルタ１２，１３がない状態でのモータの無負荷回転数を下回る所定の回転数（共振回転数）で最大となるようにその形状及び大きさ、取付の向きが決定されている。
【００１３】
一方、モータの制御回路では、運転スイッチ７をＯＦＦした際に直ちにモータを停止させず、一定時間（数秒間）モータへの通電を維持させてホース等に残った粉塵を吸引させる周知の遅延回路を並設している。ここではこの遅延機能実行時のモータの回転数を共振板１８の共振回転数に設定している。
図３は、集塵機１におけるモータの回転数と共振板１８の加速度との関係を示すグラフで、無負荷回転数１８０００ｒｐｍに対して、これを下回る共振回転数８０００ｒｐｍで加速度が最大（約１２４ｍ／ｓ２）となることがわかった。よって、ここでは遅延機能を実行するモータの回転数を８０００ｒｐｍに設定している。
【００１４】
以上の如く構成された集塵機１においては、運転スイッチ７のＯＮ操作でモータが駆動して吸込ファンが回転すると、吸込口１０に接続したホース等を介して外気がタンク２内に吸引され、プレフィルタ１３及びメインフィルタ１２を通過して吸気口６から吸気ユニット４内に吸い込まれて、吸込ファンから図示しない送気路へ送られ、図示しない排気口から排出されるものとなる。これにより、外気と共にタンク２内に吸引された塵埃がまずプレフィルタ１３のフィルタ部１７に捕捉され、プレフィルタ１３を通過した細かい粉塵はメインフィルタ１２のフィルタ部１５に捕捉されることになる。
【００１５】
そして、運転スイッチ７をＯＦＦ操作すると、前述のようにモータは直ちに停止せず、遅延回路によって所定時間運転を継続するが、このとき共振板１８の共振回転数で運転するため、共振板１８の垂直板部２０が図２に矢印で示す厚み方向へ大きな加速度で共振する。よって、モータの運転時に発生する振動が増幅されてメインフィルタ１２及びプレフィルタ１３に伝わるため、メインフィルタ１２及びプレフィルタ１３に付着した粉塵が払い落とされて目詰まりが解消される。
【００１６】
このように、上記形態の集塵機１によれば、本体３に、モータの運転時に共振し、モータの共振回転数で振幅が最大となる共振板１８を設けて、モータを共振回転数で運転させることで、モータの運転時の振動を増幅してメインフィルタ１２及びプレフィルタ１３に伝達可能としたことで、共振板１８を設けて集塵用のモータを共振回転数で運転する簡単な構成で自動塵落とし性能を付加することができる。よって、自動塵落としのためのモータ等の動力源が不要となり、コストアップや集塵機自体の大型化が抑えられる。
特にここでは、モータの運転スイッチ７をＯＦＦした後に所定時間モータの運転を継続させる遅延機能を備え、遅延機能の実行時のモータの回転数を共振回転数としているので、遅延機能を利用した適切なタイミングで自動塵落としが可能となる。
【００１７】
なお、上記形態では、運転スイッチＯＦＦ後の遅延機能の実行中にモータを共振回転数で回転させるようにしているが、運転スイッチＯＮ時の集塵用の回転数を共振回転数としたり、切替スイッチによって共振回転数を選択できるようにしたりすることで、通常運転でも共振部材を共振させて自動塵落としが行えるようにしてもよい。
また、共振部材の形態も、板状に限らず棒状等の他の形状であってもよいし、一つに限らず複数個採用しても差し支えない。さらに、取付位置もタンクカバーの下面に限らず、モータの運転時に共振し、振動を増幅できるものであれば、吸気ユニットの外面やタンクの内面であってもよいし、突出しない形状であれば本体やタンクの外面であってもよい。
そして、集塵機自体も、タンクが胴長のものや本体とタンクとがヒンジによって開閉可能に結合されるもの、さらにはフィルタがメインフィルタのみのもの等、他のタイプであっても本発明は適用可能である。
【符号の説明】
【００１８】
１・・集塵機、２・・タンク、３・・本体、４・・吸気ユニット、６・・吸気口、７・・運転スイッチ、１０・・吸込口、１２・・メインフィルタ、１３・・プレフィルタ、１５，１７・・フィルタ部、１８・・共振板、１９・・水平板部、２０・・垂直板部。
【図１】
2012120582.tif 000003
【図２】
2012120582.tif 000004
【図３】
2012120582.tif 000005